(57)【要約】【課題】本発明の目的は、停止状態と回転状態の目視を容易として交換作業者の見誤りを防止させ、目視判別方法の伝達に言語を不要として全世界に容易に対応させ、野生動物の接近を低減させ事故発生の危険性を下げることである。【解決手段】本発明の冷却装置は、回転する羽根を有する冷却装置であって、羽根は黒系の低反射率の色を主体に左右に白系の高反射率の色を配したことを特徴とする。【選択図】  図３Ａ
2017053281.tif 000002
【特許請求の範囲】
【請求項１】
回転する羽根を有する冷却装置において、
前記羽根は、黒系の低反射率の色を主体に左右に白系の高反射率の色を配したことを特徴とする冷却装置。
【請求項２】
回転する羽根を有する冷却装置において、
前記羽根は、回転部中心平坦な部分の模様を静止時に黒系の低反射率の色を主体に左右に白系の高反射率の色を配したことを特徴とする冷却装置。
【請求項３】
請求項１または請求項２に記載の冷却装置において、
前記左右の高反射率と中央の低反射率が織りなす模様形状は、特に左右の高反射率の色と挟まれた部分の低反射率の色とを合わせた形状が白目と黒目の瞳の形状となることを特徴とする冷却装置。
【発明の詳細な説明】
【技術分野】
【０００１】
本発明は、冷却装置に関するものである。
【背景技術】
【０００２】
図１Ａは従来の回転するファンの停止状態を示す模式図である。１０はファンの羽根を示す。停止中なので模式図では８つの羽根の存在が確認できる。１１は中心の平坦部を示す。ファン部材の色が平坦に存在する。１２はファン回転部の外周を示す。内側はファン部材の単色で形成されている。
図１Ｂは従来の回転するファンの回転状態を示す模式図である。１３は中心の平坦部を示す。回転しているが見た目は図１Ａの１１と同じファン部材の色が平坦に存在するのみにしか見えない。１４はファン回転部の外周を示す。内側は回転しているが、見た目はファン部材の単色で形成されており、良く見れば図１Ａで１０の羽根の部分が見えないが、判別は極めて困難である。
【０００３】
図２Ａは従来のラベル付きの回転ファン停止状態を示す模式図である。１０はファンの羽根を示す。２１は中心平坦部のラベルを示す。ラベル色の単色に文字印字となっている。２２はファン回転部の外周を示す。内側は中心平坦部を除きファン部材の単色で形成されている。
図２Ｂは従来のラベル付きの回転ファン回転状態を示す模式図である。２３は中心の平坦部のラベルを示す。回転しており文字が見えなくなっているが、見た目は図２Ａの２１と同じラベル単色が平坦に存在するのみにしか見えず判別が困難で、異なる言語を用いる者が判別方法の伝達することも困難である。２４はファン回転部の外周を示す。内側は回転しているが、中心平坦部を除き見た目はファン部材の単色で形成されており、良く見れば図２Ａで１０の羽根の部分が見えないが、判別は極めて困難である。
【０００４】
先行技術文献としては、例えば、非特許文献１に回転する黄地黒斑点模様が開示されている。
また、他の先行技術文献としては、例えば、非特許文献２に扇風機用羽根が回転すると、シボ加工をした模様がリング状の模様に変化することが開示されている。
【先行技術文献】
【非特許文献】
【０００５】
【非特許文献１】意匠登録第１３５１６４０号公報
【非特許文献２】意匠登録第１０８６４９２号公報
【発明の概要】
【発明が解決しようとする課題】
【０００６】
回転ファンは電源を切っても遠心力にて暫く止まらないという特性が有る。
加えて回転ファンは可動部であるため定期交換部品と指定され交換作業を行なう対象となる事が多々ある。
従来の回転ファンでは電源停止後に遠心力で回転している事に気付かず、交換作業員に死傷者を出す危険性が有った。
従来の回転ファンを搭載する機器が言語圏の異なる地域で扱われる場合、停止と回転の状態を説明するのに通訳を必要とし、伝達が困難であった。
従来の回転ファンを搭載する機器が野外の場合、野生動物が近付き巻き込まれて殺戮や負傷される危険性と、そのため機器故障を引き起こされる危険性が有った。
本発明の目的は、停止状態と回転状態の目視を容易として交換作業者の見誤りを防止させ、目視判別方法の伝達に言語を不要として全世界に容易に対応させ、野生動物の接近を低減させ事故発生の危険性を下げることである。
【課題を解決するための手段】
【０００７】
本発明の冷却装置は、回転する羽根を有する冷却装置であって、羽根は黒系の低反射率の色を主体に左右に白系の高反射率の色を配したことを特徴とする。
【０００８】
また、本発明の冷却装置は、回転する羽根を有する冷却装置であって、羽根は回転部中心平坦な部分の模様を静止時に黒系の低反射率の色を主体に左右に白系の高反射率の色を配したことを特徴とする。
【０００９】
さらに、本発明の冷却装置は、上述の冷却装置であって、左右の高反射率と中央の低反射率が織りなす模様形状は特に左右の高反射率の色と挟まれた部分の低反射率の色とを合わせた形状が白目と黒目の瞳の形状となることを特徴とする。
【発明の効果】
【００１０】
本発明によれば、停止状態と回転状態の目視を容易として交換作業者の見誤りを防止させ、目視判別方法の伝達に言語を不要として全世界に容易に対応させ、野生動物の接近を低減させ事故発生の危険性を下げることができる。
【図面の簡単な説明】
【００１１】
【図１Ａ】従来の回転するファンの停止状態を示す模式図。
【図１Ｂ】従来の回転するファンの回転状態を示す模式図。
【図２Ａ】従来のラベル付きの回転ファン停止状態を示す模式図。
【図２Ｂ】従来のラベル付きの回転ファン回転状態を示す模式図。
【図３Ａ】本発明の一実施例に於ける回転ファンの停止状態の模式図。
【図３Ｂ】本発明の一実施例に於ける回転ファンの回転状態の模式図。
【図４Ａ】本発明の一実施例に於ける回転ファンの停止状態の別の模式図。
【図４Ｂ】本発明の一実施例に於ける図４Ａの回転ファンを回転状態とした模式図。
【図５Ａ】回転ファン停止時の説明を行なう模式図。
【図５Ｂ】回転ファン回転時の説明を行なう模式図。
【発明を実施するための形態】
【００１２】
以下、本発明の実施形態について図面を参照して詳細に説明する。
図３Ａは発明に於ける回転ファンの停止状態の模式図である。
１０はファンの羽根を示す。停止中なので模式図では８つの羽根の存在が確認できる。３１は中心平坦部を示す。３１ａは中心平坦部の模様部を示し、２つの左右対称な高反射率を持つ色で形成されている。模様の着色手法はステッカー貼付けや模様形状のマスキング塗装などの手段で確立できる。３１ｂは中心平坦部の模様を除く部分を示し、中心と模様の存在しない周辺２方向の３ヶ所が確認でき、低反射率を持つ回転ファンの部材色で形成されている。
また、図３Ａでは特に３１ａの模様部として高反射率の色２ヶ所の外周側を３１の中心平坦部に接する左右に引き延ばした楕円、内周側に回転ファン部材として低反射率の色を円形に残しており、合わせて瞳を連想させる形状としている。
３２はファン回転部の外周を示す。内側のファンの羽根の存在する部分はファンの部材色のみであるが、中心に左右２ヶ所に高反射率の色を配した模様を容易に確認できる。
【００１３】
図３Ｂは発明に於ける回転ファンの回転状態の模式図である。
３３は中心平坦部を示す。３３ａは中心平坦部の模様部の回転部分を示し、高反射率を持つ色が回転していることで円形に反射率の高い軌跡を残している。３３ｂは中心平坦部の模様に挟まれた内側の回転ファン部材色部分で回転しても低反射率の色となっている。３４はファン回転部の外周を示す。内側のファンの羽根の存在する部分は回転していてもファンの部材色のみであるが、中心平坦部に反射率の異なるリングが見えており、目玉を連想させる状態になっている。                                                
図３Ａの停止時に高反射率の色が２ヶ所に分離している事に対して、図３Ｂの回転時は高反射率の色が円状に連なって見え、停止中か回転中かを容易に判断できる。
【００１４】
図４Ａは発明に於ける回転ファンの停止状態の別の模式図である。
１０はファンの羽根を示す。停止中なので模式図では８つの羽根の存在が確認できる。４１は中心平坦部を示す。４２はファン回転部の外周を示す。４２ａはファン回転部の模様部を示し、２つの左右対称な高反射率を持つ色で形成されている。模様の着色は模様形状のマスキング塗装などの手段で確立できる。４２ｂはファン回転部の模様を除く部分を示し、中心と模様の存在しない周辺２方向の３ヶ所が確認でき、低反射率を持つ回転ファンの部材色で形成されている。また、図４Ａでは特に４２ａの模様部として高反射率の色２ヶ所の外周側を４２の外周に接する左右に引き延ばした楕円、内周側に回転ファン部材として低反射率の色を円形に残しており、合わせて瞳を連想させる形状としている。左右２ヶ所に高反射率の色を配した模様を容易に確認できる。
【００１５】
図４Ｂは発明に於ける図４Ａの回転ファンを回転状態とした模式図である。
４３は中心平坦部を示す。４４はファン回転部の外周を示す。４４ａはファン回転部の模様部の回転部分を示し、高反射率を持つ色が回転していることで円形に反射率の高い軌跡を残している。４４ｂはファン回転部の模様に挟まれた内側の回転ファン部材色部分で回転しても低反射率の色となっている。回転により反射率の異なるリングが見えており、目玉を連想させる状態になっている。
図４Ａの停止時に高反射率の色が２ヶ所に分離している事に対して、図４Ｂの回転
時は高反射率の色が円状に連なって見え、停止中か回転中かを容易に判断できる。
【００１６】
図３Ａの高反射率の部分が２ヶ所に分かれた瞳の形状と、図３Ｂの高反射率の部分が連なった目玉模様、同様に図４Ａの高反射率の部分が２ヶ所に分かれた瞳の形状と、図４Ｂの高反射率の部分が連なった目玉模様、停止中と回転中が見た目で容易に判断でき、交換作業員が回転の止まっていないファンに誤って触れる事を防ぐ。
【００１７】
図５Ａは回転ファン停止時の説明を行なう模式図である。
５５は発明による停止中の回転ファンを示し、高反射率の色は２ヶ所に分離して瞳を連想させる形状の模様が確認できる。５６は停止状態を説明中の機器説明員を示す。ジェスチャーにて自身の瞳と、停止中の回転ファンを示して、瞳の模様が確認できることについて言語を用いず説明できている。
図５Ｂは回転ファン回転時の説明を行なう模式図である。５７は発明による回転中の回転ファンを示し、高反射率の色は円形に連なり、目玉を連想させる形状の模様が確認できる。５８は回転状態を説明中の機器説明員を示す。ジェスチャーにてファンを示す指と自身の瞳を示す指をクルクル回転すると同時に、目玉をカッと見開いて、回転中のファンは目玉の模様となることについて言語を用いず説明できている。
例えば、機器説明員が日本語と片言の英語しか会話できず、回転ファン搭載機器の導入接置場所が、台湾や中国で交換作業員が中国語しか会話できない場合、もしくはモンゴルやロシアで交換作業員がロシア語しか会話できない場合、機器説明がジェスチャーにて行えることは利点となる。
【００１８】
図３Ｂや図４Ｂに示す通り、発明に於いて回転中は目玉模様となる。
鳥等が目玉模様を天敵と見なし避ける習性が有ることから野生動物と回転ファン搭載機器との無用な事故を低減する効果も期待できる。
【００１９】
回転ファンの回転部は、表面に塗装やステッカー等で一定の面積が有る高反射率の色を１８０度の対称位置にする。
また、反射率の異なる色が作り出す模様が、停止時に瞳の形状、回転時は目玉模様に近いデザインとする。
【００２０】
本発明の実施形態である冷却装置は、停止状態と回転状態の目視を容易として交換作業者の見誤りを防止させ、目視判別方法の伝達に言語を不要として全世界に容易に対応させ、野生動物の接近を低減させ事故発生の危険性を下げることができる。
【００２１】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００２２】
ファンの羽根が停止状態と回転状態で模様が異なることによって、ファンの羽根の状態により模様を変える必要がある用途に適用できる。
【符号の説明】
【００２３】
１０…ファンの羽根、
１１…停止中の中心の平坦部、
１２…停止中のファン回転部の外周、
１３…回転中の中心の平坦部、
１４…回転中のファン回転部の外周、
２１…停止中の中心平坦部のラベル、
２２…停止中のファン回転部の外周、
２３…回転中の中心平坦部のラベル、
２４…回転中のファン回転部の外周、
３１…停止中の中心平坦部、
３１ａ…停止中の中心平坦部の模様部、
３１ｂ…停止中の中心平坦部の模様を除く部分、
３２…停止中のファン回転部の外周、
３３…回転中の中心平坦部、
３３ａ…中心平坦部の模様部の回転部分、
３３ｂ…回転中の中心平坦部の模様に挟まれた内側、
３４…回転中のファン回転部の外周、
４１…停止中の中心平坦部、
４２…停止中のファン回転部の外周、
４２ａ…停止中のファン回転部の模様部、
４２ｂ…停止中のファン回転部の模様を除く部分、
４３…回転中の中心平坦部、
４４…回転中のファン回転部の外周、
４４ａ…ファン回転部の模様部の回転部分、
４４ｂ…回転中のファン回転部の模様に挟まれた内側、
５５…発明による停止中の回転ファン、
５６…停止状態を説明中の機器説明員、
５７…発明による回転中の回転ファン、
５８…回転状態を説明中の機器説明員。
【図１Ａ】
2017053281.tif 000003
【図１Ｂ】
2017053281.tif 000004
【図２Ａ】
2017053281.tif 000005
【図２Ｂ】
2017053281.tif 000006
【図３Ａ】
2017053281.tif 000007
【図３Ｂ】
2017053281.tif 000008
【図４Ａ】
2017053281.tif 000009
【図４Ｂ】
2017053281.tif 000010
【図５Ａ】
2017053281.tif 000011
【図５Ｂ】
2017053281.tif 000012